(57)【要約】  複数の周波数帯域を用いた無線通信を効率的に行えるようにする。  無線通信装置（１０）は、複数の周波数帯域を用いて無線通信装置（２０）と通信を行う。通知部（２２）は、第１および第２の長さのガードインターバルを並列に処理する能力についての性能情報を、無線通信装置（１０）に通知する。送信部（１１）は、周波数帯域＃１で第１の長さのガードインターバルを用いたデータ＃１を送信し、周波数帯域＃２で第２の長さのガードインターバルを用いたデータ＃２を送信する。制御部（１２）は、通知された性能情報に基づいて、データ＃１，＃２の少なくとも一方の送信をスケジューリングする。
2012042627.tif 000002
【特許請求の範囲】
【請求項１】
複数の周波数帯域を用いて他の無線通信装置と通信を行う無線通信装置であって、
前記複数の周波数帯域のうち第１の周波数帯域で、第１の長さのガードインターバルを用いた第１のデータを送信し、前記複数の周波数帯域のうち第２の周波数帯域で、第２の長さのガードインターバルを用いた第２のデータを送信する送信部と、
前記他の無線通信装置から、前記第１および第２の長さのガードインターバルを並列に処理する能力についての性能情報を取得し、前記性能情報に基づいて、前記第１および第２のデータの少なくとも一方の送信をスケジューリングする制御部と、
を有することを特徴とする無線通信装置。
【請求項２】
前記制御部は、前記性能情報が、前記第１および第２の長さのガードインターバルを並列に処理できないことを示している場合、前記第１のデータと前記第２のデータとが異なるタイミングで送信されるよう制御することを特徴とする請求の範囲第１項記載の無線通信装置。
【請求項３】
前記他の無線通信装置を含む複数の他の無線通信装置は、前記第１および第２の長さのガードインターバルを並列に処理する能力を含む１またはそれ以上の性能項目に応じて、複数のカテゴリに分類されており、
前記制御部は、前記性能情報として、前記他の無線通信装置のカテゴリを示す情報を取得し、前記他の無線通信装置のカテゴリに基づいてスケジューリングを行う、
ことを特徴とする請求の範囲第１項記載の無線通信装置。
【請求項４】
前記第１のデータは、前記他の無線通信装置を含む複数の他の無線通信装置が受信可能なデータであり、前記第２のデータは、前記他の無線通信装置宛てのデータであり、
前記制御部は、前記第２のデータの送信をスケジューリングする、
ことを特徴とする請求の範囲第１項記載の無線通信装置。
【請求項５】
複数の周波数帯域を用いて他の無線通信装置と通信を行う無線通信装置であって、
前記複数の周波数帯域のうち第１の周波数帯域で送信される、第１の長さのガードインターバルを用いた第１のデータと、前記複数の周波数帯域のうち第２の周波数帯域で送信される、第２の長さのガードインターバルを用いた第２のデータとを、並列に受信するかまたは異なるタイミングで受信する受信部と、
前記受信部における前記第１および第２の長さのガードインターバルを並列に処理する能力についての性能情報を、前記第１および第２のデータの受信前に前記他の無線通信装置に通知する通知部と、
を有することを特徴とする無線通信装置。
【請求項６】
複数の周波数帯域を用いて通信を行う無線通信システムであって、
第１および第２の長さのガードインターバルを並列に処理する自装置の能力についての性能情報を通知する通知部、を備える第１の無線通信装置と、
前記複数の周波数帯域のうち第１の周波数帯域で、前記第１の長さのガードインターバルを用いた第１のデータを送信し、前記複数の周波数帯域のうち第２の周波数帯域で、前記第２の長さのガードインターバルを用いた第２のデータを送信する送信部と、
通知された前記性能情報に基づいて、前記第１および第２のデータの少なくとも一方の送信をスケジューリングする制御部と、を備える第２の無線通信装置と、
を有することを特徴とする無線通信システム。
【請求項７】
複数の周波数帯域を用いて第１の無線通信装置と第２の無線通信装置とが通信を行う無線通信システムの無線通信方法であって、
前記第１の無線通信装置が、第１および第２の長さのガードインターバルを並列に処理する自装置の能力についての性能情報を、前記第２の無線通信装置に通知し、
前記第２の無線通信装置が、通知された前記性能情報に基づいて、前記第１の長さのガードインターバルを用いた第１のデータおよび前記第２の長さのガードインターバルを用いた第２のデータの少なくとも一方の送信をスケジューリングし、
前記第２の無線通信装置が、スケジューリング結果に応じて並列にまたは異なるタイミングで、前記複数の周波数帯域のうち第１の周波数帯域で前記第１のデータを送信し、前記複数の周波数帯域のうち第２の周波数帯域で前記第２のデータを送信する、
ことを特徴とする無線通信方法。
【発明の詳細な説明】
【技術分野】
【０００１】
本発明は無線通信装置、無線通信システムおよび無線通信方法に関する。
【背景技術】
【０００２】
現在、携帯電話システムや無線ＬＡＮ（Local Area Network）などの無線通信システムが広く利用されている。また、無線通信の更なる高速化・大容量化を図るべく、次世代の無線通信技術について継続的に活発な議論が行われている。【０００３】
例えば、標準化団体の１つである３ＧＰＰ（3rd Generation Partnership Project）では、最大で２０ＭＨｚの周波数帯域を用いた無線通信が可能なＬＴＥ（Long Term Evolution）と呼ばれる通信規格が提案されている。また、ＬＴＥの次世代の通信規格として、最大で２０ＭＨｚの周波数帯域５つ（１００ＭＨｚ）を用いた無線通信が可能なＬＴＥ−Ａ（Long Term Evolution-Advanced）と呼ばれる通信規格が提案されている。【０００４】
また、ＬＴＥやＬＴＥ−Ａでは、ＭＢＳＦＮ（Multimedia Broadcast multicast service Single Frequency Network）と呼ばれるデータ送信方法が検討されている。ＭＢＳＦＮでは、複数の基地局が同一タイミングで同一周波数かつ同一変調方式を用いて同一内容のデータを送信する。ＭＢＳＦＮで送信されるデータは、例えば、ＭＢＭＳ（Multimedia Broadcast Multicast Service）データと呼ばれる。移動局は、複数の基地局から送信された無線信号を合成することで、ＭＢＭＳデータの受信品質を向上させることができる。【０００５】
ＬＴＥやＬＴＥ−Ａの無線信号では、遅延波によるシンボル間干渉を抑制するため、データ信号としての有効シンボルの間に、ガードインターバル（ＬＴＥやＬＴＥ−Ａでは、ＣＰ（Cyclic Prefix）と呼ばれる）が挿入される。ガードインターバルが長いほど、遅延時間の大きな遅延波の影響を吸収できるようになる。ＭＢＳＦＮ送信では、移動局がより多くの基地局からの無線信号を合成できるように（より遠くの基地局からの無線信号も捕捉できるように）、特定の移動局宛ての個別データを送信する場合よりも、長いガードインターバルが使用される。【０００６】
なお、送受信可能な周波数帯域幅の異なる複数種類の無線端末が存在するとき、無線端末が基地局に自装置の送受信可能な周波数帯域幅を通知し、基地局が通知に応じて使用するサブバンドを選択する無線通信システムが提案されている（例えば、特許文献１の段落［００４７］参照）。また、ＭＢＳＦＮに関して、短いＣＰが付与されたユニキャストデータと長いＣＰが付与されたＭＢＭＳデータとを、ガードバンドを挿入することで、周波数多重して送信する基地局が提案されている（例えば、特許文献２の段落［００４０］参照）。【０００７】
また、ガードインターバル長の異なるユニキャストチャネルとＭＢＭＳチャネルとを、同一周波数帯域上で時間多重して送信する送信装置が提案されている（例えば、特許文献３参照）。また、ガードインターバル長を可変とする場合に、１シンボル中のガードインターバル部分の割合が一定になるように無線パラメータ群を設定して、データ伝送効率を一定に維持する装置が提案されている（例えば、特許文献４の段落［００１２］参照）。
【先行技術文献】
【特許文献】
【０００８】
【特許文献１】特開２０１０−４１５８１号公報
【特許文献２】特開２００９−２６７９８８号公報
【特許文献３】特開２０１０−８１６５２号公報
【特許文献４】特開２０１０−９８７７３号公報
【発明の概要】
【発明が解決しようとする課題】
【０００９】
ところで、複数の周波数帯域を用いて通信を行う無線通信システムでは、第１の周波数帯域で第１のガードインターバル長のデータを送信し、第２の周波数帯域で第２のガードインターバル長のデータを送信する、という状況が生じ得る。このとき、第１および第２のガードインターバル長のデータが、同じタイミングで送信される可能性もある。【００１０】
その一方で、データを受信する無線通信装置にとって、異なるガードインターバル長のデータを並列に受信することは、受信信号からの有効シンボルの抽出やＦＦＴ（Fast Fourier Transform）などの受信処理の点で負担が大きい。そこで、無線通信装置によって、異なる長さのガードインターバルを並列に処理する能力に制限があることも想定される。しかし、その場合、異なる長さのガードインターバルを並列に処理できない無線通信装置に対して、第１および第２のガードインターバル長のデータが同じタイミングで送信されてしまうことにより、当該無線通信装置が少なくとも一方のデータを受信できず、データ送信が無駄になってしまうという問題が生じ得る。【００１１】
本発明はこのような点に鑑みてなされたものであり、複数の周波数帯域を用いた無線通信を効率的に行うことができる無線通信装置、無線通信システムおよび無線通信方法を提供することを目的とする。
【課題を解決するための手段】
【００１２】
上記課題を解決するために、複数の周波数帯域を用いて通信を行う無線通信システムが提供される。この無線通信システムは、通知部を備える第１の無線通信装置と、送信部と制御部を備える第２の無線通信装置を有する。通知部は、第１および第２の長さのガードインターバルを並列に処理する自装置の能力についての性能情報を通知する。送信部は、複数の周波数帯域のうち第１の周波数帯域で、第１の長さのガードインターバルを用いた第１のデータを送信し、複数の周波数帯域のうち第２の周波数帯域で、第２の長さのガードインターバルを用いた第２のデータを送信する。制御部は、通知された性能情報に基づいて、第１および第２のデータの少なくとも一方の送信をスケジューリングする。【００１３】
また、複数の周波数帯域を用いて第１の無線通信装置と第２の無線通信装置とが通信を行う無線通信システムの無線通信方法が提供される。この無線通信方法は、第１の無線通信装置が、第１および第２の長さのガードインターバルを並列に処理する自装置の能力についての性能情報を、第２の無線通信装置に通知する。第２の無線通信装置が、通知された性能情報に基づいて、第１の長さのガードインターバルを用いた第１のデータおよび第２の長さのガードインターバルを用いた第２のデータの少なくとも一方の送信をスケジューリングする。第２の無線通信装置が、スケジューリング結果に応じて並列にまたは異なるタイミングで、複数の周波数帯域のうち第１の周波数帯域で第１のデータを送信し、複数の周波数帯域のうち第２の周波数帯域で第２のデータを送信する。
【発明の効果】
【００１４】
上記無線通信装置、無線通信システムおよび無線通信方法によれば、複数の周波数帯域を用いた無線通信を効率的に行うことができる。
本発明の上記および他の目的、特徴および利点は本発明の例として好ましい実施の形態を表す添付の図面と関連した以下の説明により明らかになるであろう。
【図面の簡単な説明】
【００１５】
【図１】第１の実施の形態の無線通信システムを示す図である。
【図２】第２の実施の形態の移動通信システムを示す図である。
【図３】コンポーネントキャリアの設定例を示す図である。
【図４】キャリアアグリゲーションの第１の例を示す図である。
【図５】キャリアアグリゲーションの第２の例を示す図である。
【図６】ＭＢＳＦＮエリアの設定例を示す図である。
【図７】個別データとＭＢＭＳデータの送信例を示す図である。
【図８】無線フレームの構造例を示す図である。
【図９】シンボルの構造例を示す図である。
【図１０】ＭＢＭＳデータ信号の合成方法を示す図である。
【図１１】通常サブフレームとＭＢＳＦＮサブフレームの設定例を示す図である。
【図１２】移動局の第１のカテゴリ例を示すテーブルである。
【図１３】移動局の第２のカテゴリ例を示すテーブルである。
【図１４】第２の実施の形態の基地局を示すブロック図である。
【図１５】基地局の装置制御部を示すブロック図である。
【図１６】第２の実施の形態の移動局を示すブロック図である。
【図１７】移動局の端末制御部を示すブロック図である。
【図１８】移動局の受信回路の第１の例を示すブロック図である。
【図１９】移動局の受信回路の第２の例を示すブロック図である。
【図２０】移動局の受信回路の第３の例を示すブロック図である。
【図２１】第２の実施の形態のＭＣＥを示すブロック図である。
【図２２】基地局の送信処理を示すフローチャートである。
【図２３】移動局の受信処理を示すフローチャートである。
【図２４】データ送信制御の例を示す第１のシーケンス図である。
【図２５】データ送信制御の例を示す第２のシーケンス図である。
【図２６】データ送信制御の例を示す第３のシーケンス図である。
【図２７】データ送信制御の例を示す第４のシーケンス図である。
【図２８】第３の実施の形態の基地局を示すブロック図である。
【図２９】第３の実施の形態のＭＣＥを示すブロック図である。
【図３０】データ送信制御の例を示す第５のシーケンス図である。
【発明を実施するための形態】
【００１６】
以下、本実施の形態を、図面を参照して説明する。
［第１の実施の形態］
図１は、第１の実施の形態の無線通信システムを示す図である。第１の実施の形態の無線通信システムは、無線通信装置１０，２０，２０ａを含む。無線通信装置１０と無線通信装置２０，２０ａは、周波数帯域＃１，＃２を含む複数の周波数帯域を用いて無線通信を行う。例えば、無線通信装置１０が基地局、無線通信装置２０，２０ａが移動局である場合が考えられる。
【００１７】
無線通信装置１０は、送信部１１と制御部１２とを有する。送信部１１は、周波数帯域＃１でデータ＃１を送信し、周波数帯域＃２でデータ＃２を送信する。データ＃１は、第１の長さのガードインターバル（ＧＩ：Guard Interval）を用いて送信されるデータであり、例えば、無線通信装置２０，２０ａを含む複数の無線通信装置が受信可能なデータ（例えば、ＭＢＭＳデータ）である。データ＃２は、第２の長さのＧＩを用いて送信されるデータであり、例えば、無線通信装置２０（または無線通信装置２０ａ）宛ての個別データである。制御部１２は、送信部１１におけるデータ＃１，＃２の少なくとも一方の送信をスケジューリングする。例えば、無線通信装置２０（または無線通信装置２０ａ）宛ての個別データであるデータ＃２の送信タイミングを制御する。
【００１８】
無線通信装置２０は、受信部２１と通知部２２とを有する。受信部２１は、周波数帯域＃１で送信されたデータ＃１と周波数帯域＃２で送信されたデータ＃２を受信する。受信部２１は、異なる長さのＧＩを並列に処理する能力を有していてもよいし、有していなくてもよい。例えば、データ＃１，＃２が同一タイミングで送信されたとき、両者を並列に受信できてもよいし、受信できなくてもよい。通知部２２は、受信部２１における異なる長さのＧＩを並列に処理する能力についての性能情報を、無線通信装置１０に通知する。無線通信装置２０ａも、無線通信装置２０と同様に、受信部および通知部を有する。
【００１９】
ここで、制御部１２は、無線通信装置２０，２０ａから通知された性能情報を用いて、データ＃１，＃２の少なくとも一方の送信をスケジューリングする。例えば、無線通信装置２０が異なる長さのＧＩを並列に処理できる場合、無線通信装置２０宛ての個別データであるデータ＃２を、データ＃１と同じタイミングで送信するようスケジューリングしてもよい。一方、無線通信装置２０ａが異なる長さのＧＩを並列に処理できない場合、無線通信装置２０ａ宛ての個別データであるデータ＃２を、データ＃１と異なるタイミングで送信するようスケジューリングを試みる。
【００２０】
なお、無線通信装置２０，２０ａを含む複数の無線通信装置は、異なる長さのＧＩを並列に処理する能力を含む１またはそれ以上の性能項目に応じて、複数のカテゴリに分類されていてもよい。その場合、通知部２２は、性能情報として、無線通信装置２０のカテゴリを示す情報を無線通信装置１０に通知してもよい。また、性能情報は、無線通信装置２０，２０ａが無線通信装置１０に接続する際に、無線通信装置２０，２０ａから無線通信装置１０に通知されるようにしてもよい。
【００２１】
このような第１の実施の形態の無線通信システムでは、無線通信装置２０，２０ａは、第１および第２の長さのＧＩを並列に処理する能力についての性能情報を、無線通信装置１０に通知する。無線通信装置１０は、無線通信装置２０，２０ａから通知された性能情報に基づいて、第１の長さのＧＩを用いたデータ＃１と第２の長さのＧＩを用いたデータ＃２の少なくとも一方の送信をスケジューリングする。そして、スケジューリング結果に応じて、同一または異なるタイミングで、周波数帯域＃１でデータ＃１を送信し、周波数帯域＃２でデータ＃２を送信する。
【００２２】
これにより、周波数帯域＃１，＃２を含む複数の周波数帯域を用いた無線通信を効率的に行うことができる。例えば、無線通信装置２０が異なる長さのＧＩを並列に処理できる場合、緩い送信タイミングの制限のもとで無線通信装置２０宛ての個別データであるデータ＃２のスケジューリングを行うことで、周波数帯域＃１，＃２の無線リソースを有効活用できる。一方、無線通信装置２０ａが異なる長さのＧＩを並列に処理できない場合、無線通信装置２０ａ宛ての個別データであるデータ＃２をデータ＃１と同じタイミングで送信しないことで、データ送信が無駄になってしまうことを抑制できる。
【００２３】
なお、第１の実施の形態の無線通信システムは、ＬＴＥ−Ａシステムとして実現してもよい。その場合、周波数帯域＃１，＃２は、コンポーネントキャリア（ＣＣ：Component Carrier）と呼ばれる帯域や、サブキャリアブロックと呼ばれる帯域であってもよい。また、ガードインターバルは、ＣＰと呼ばれるものであってもよい。以下に説明する第２，第３の実施の形態では、ＬＴＥ−Ａを想定した移動通信システムの例を挙げる。
【００２４】
［第２の実施の形態］
図２は、第２の実施の形態の移動通信システムを示す図である。第２の実施の形態の移動通信システムは、基地局１００，１００ａを含む複数の基地局、移動局２００，２００ａ、ＭＣＥ（Multi-cell/multicast Coordination Entity）３００、ＭＭＥ（Mobility Management Entity）４１０、ＭＢＭＳゲートウェイ４２０およびＳＡＥ（System Architecture Evolution）ゲートウェイ４３０を有する。
【００２５】
基地局１００，１００ａは、移動局２００，２００ａと無線通信が可能な無線通信装置である。無線通信には、複数のコンポーネントキャリア（ＣＣ）が使用される。基地局１００，１００ａは、有線網を介してＭＣＥ３００、ＭＢＭＳゲートウェイ４２０およびＳＡＥゲートウェイ４３０と接続されている。基地局１００，１００ａは、移動局２００，２００ａとＳＡＥゲートウェイ４３０との間で、移動局２００，２００ａの個別データを転送する。また、基地局１００，１００ａは、ＭＣＥ３００の制御のもと、ＭＢＳＦＮ送信（同一タイミングで同一周波数かつ同一変調方式を用いて同一内容のＭＢＭＳデータを送信すること）を行う。ＭＢＭＳデータは、ＭＢＭＳゲートウェイ４２０から取得する。
【００２６】
移動局２００，２００ａは、基地局１００，１００ａと無線通信が可能な無線端末装置であり、例えば、携帯電話機や携帯情報端末装置である。移動局２００，２００ａは、下りリンク（ＤＬ：Downlink）で個別データを基地局１００または基地局１００ａから受信する。また、上りリンク（ＵＬ：Uplink）で個別データを基地局１００または基地局１００ａに送信する。第２の実施の形態では、移動局２００，２００ａが基地局１００に接続して個別データの送受信を行う場合を考える。また、移動局２００，２００ａは、ＭＢＳＦＮ送信されたＭＢＭＳデータを受信する。移動局２００，２００ａは、基地局１００，１００ａを含む複数の基地局が同一タイミングで送信したＭＢＭＳデータを含む信号を受信し、受信信号を合成して復調・復号を行う。
【００２７】
ＭＣＥ３００は、ＭＢＳＦＮ送信を制御する通信装置である。ＭＣＥ３００は、移動局２００，２００ａが送信したＭＢＳＦＮ要求を基地局１００，１００ａから受信し、ＭＢＳＦＮ送信のスケジューリングを行う。そして、ＭＢＳＦＮ制御情報を基地局１００，１００ａに送信し、ＭＢＭＳゲートウェイ４２０にＭＢＭＳデータの送信を指示する。
【００２８】
ＭＭＥ４１０は、移動局２００，２００ａのモビリティ管理を行う通信装置である。ＭＭＥ４１０は、基地局１００，１００ａと通信を行い、移動局２００，２００ａの在圏セルを管理する。ＭＢＭＳゲートウェイ４２０は、ＭＢＳＦＮ送信されるＭＢＭＳデータを処理する通信装置である。ＭＢＭＳゲートウェイ４２０は、ＭＣＥ３００の制御のもと、基地局１００，１００ａにＭＢＭＳデータを送信する。ＳＡＥゲートウェイ４３０は、移動局２００，２００ａの個別データを処理する通信装置である。ＳＡＥゲートウェイ４３０は、基地局１００，１００ａに移動局２００，２００ａ宛ての個別データを送信し、移動局２００，２００ａが送信したデータを基地局１００，１００ａから受信する。
【００２９】
なお、第２の実施の形態では、ＭＢＳＦＮの制御を、独立の装置であるＭＣＥ３００が行うこととした。ただし、ＭＣＥ３００の機能を、基地局１００，１００ａに実装することも可能である。その場合、基地局１００，１００ａを含む複数の基地局が通信を行ってＭＢＳＦＮの制御を行う。また、ＭＣＥ３００の機能を、ＭＭＥ４１０などの有線網内の他の通信装置に実装することも可能である。
【００３０】
図３は、コンポーネントキャリアの設定例を示す図である。基地局１００，１００ａは、無線通信に最大で５つのＣＣ（ＣＣ＃１〜＃５）を使用できる。双方向通信に周波数分割複信（ＦＤＤ：Frequency Division Duplex）を用いる場合、ＤＬとＵＬそれぞれについてＣＣ＃１〜＃５の周波数帯域が確保される。ＤＬでは、例えば、各ＣＣの帯域幅が２０ＭＨｚに設定され、全体の帯域幅が１００ＭＨｚに設定される。
【００３１】
基地局１００，１００ａは、ＣＣ＃１〜＃５それぞれについて、無線リソースの割り当て制御を行う。基地局１００，１００ａは、複数のＣＣを集約して移動局２００，２００ａとの無線通信に使用する（複数のＣＣを同時に使用する）ことで、１つのＣＣの帯域幅（例えば、２０ＭＨｚ）よりも広い帯域幅（例えば、４０ＭＨｚ，６０ＭＨｚ，８０ＭＨｚ，１００ＭＨｚなど）を用いたデータ通信が可能となる。
【００３２】
なお、図３の例では、ＦＤＤにより双方向通信を実現しているが、時分割複信（ＴＤＤ：Time Division Duplex）により実現することも可能である。その場合、周波数軸上ではＤＬとＵＬとを区別せずに、５つのＣＣが設けられる。また、上記説明では、ＤＬの各ＣＣの帯域幅を２０ＭＨｚに設定したが、他の帯域幅（例えば、５ＭＨｚ，１０ＭＨｚ，１５ＭＨｚなど）に設定してもよい。また、全ＣＣの帯域幅を同一に設定しなくてもよい。
【００３３】
また、図３の例では、ＵＬ無線リソースを低周波数側に設け、ＤＬ無線リソースを高周波数側に設けている。周波数が低い方が信号の伝搬損失が小さくなるため、ＵＬ無線リソースを低周波数側に設けることで、移動局２００，２００ａの送信電力を低く抑えることができる。ただし、ＵＬ無線リソースとＤＬ無線リソースの配置を逆にしてもよい。
【００３４】
ここで、ＣＣ＃１〜＃５は、８００ＭＨｚ帯，２．５ＧＨｚ帯，３．５ＧＨｚ帯などの周波数バンドの何れか１つに全て設けてもよいし、異なる複数の周波数バンドに分散して設けてもよい。複数のＣＣを集約することを、キャリアアグリゲーション（Carrier Aggregation）と呼ぶことがある。キャリアアグリゲーションのうち、異なる周波数バンドに属するＣＣを集約することを、スペクトラムアグリゲーション（Spectrum Aggregation）と呼ぶことがある。
【００３５】
図４は、キャリアアグリゲーションの第１の例を示す図である。図４の例では、３．５ＧＨｚ帯に、無線通信に使用可能な帯域として、連続した１００ＭＨｚ幅の帯域が用意されている。そして、この１００ＭＨｚ幅の帯域が５つに分割されて、それぞれが２０ＭＨｚ幅のＣＣ＃１〜＃５として定義されている。
【００３６】
移動局２００，２００ａは、例えば、ＣＣ＃１，＃２を、キャリアアグリゲーションにより４０ＭＨｚの周波数帯域（論理的に１つの周波数帯域）として使用する。この場合、実際には、移動局２００，２００ａは、３．５ＧＨｚ帯に属する連続する１００ＭＨｚ幅の帯域のうちの一部分を使用していることになる。なお、図４では３．５ＧＨｚ帯に属する周波数帯域の例を挙げたが、８００ＭＨｚ帯や２．５ＧＨｚ帯など他の周波数バンドに属する周波数帯域の場合も同様に、キャリアアグリゲーションを行うことが可能である。
【００３７】
図５は、キャリアアグリゲーションの第２の例を示す図である。図５の例では、８００ＭＨｚ帯に、無線通信に使用可能な帯域として２０ＭＨｚ幅の帯域が用意されている。また、３．５ＧＨｚ帯に、無線通信に使用可能な帯域として連続した８０ＭＨｚ幅の帯域が用意されている。そして、８００ＭＨｚ帯の２０ＭＨｚ幅の帯域がＣＣ＃１として定義されると共に、３．５ＧＨｚ帯の８０ＭＨｚ幅の帯域が４つに分割されて、それぞれ２０ＭＨｚ幅のＣＣ＃２〜＃５として定義されている。
【００３８】
移動局２００，２００ａは、例えば、ＣＣ＃１，＃２を、スペクトラムアグリゲーション（キャリアアグリゲーション）により４０ＭＨｚの周波数帯域（論理的に１つの周波数帯域）として使用する。この場合、実際には、移動局２００，２００ａは、８００ＭＨｚ帯に属する２０ＭＨｚ幅の帯域と、３．５ＧＨｚ帯に属する連続する８０ＭＨｚ幅の帯域の一部分とを使用していることになる。なお、図５では８００ＭＨｚ帯と３．５ＧＨｚ帯の組み合わせの例を挙げたが、他の周波数バンドの組み合わせの場合も同様に、スペクトラムアグリゲーションを行うことが可能である。
【００３９】
図６は、ＭＢＳＦＮエリアの設定例を示す図である。ＭＢＳＦＮエリア内では、ＭＣＥ３００の制御により、ＭＢＭＳデータの送信の同期が取られる。図６の例では、ＭＢＳＦＮエリア内に、１９個のセル（セル＃１〜＃１９）が含まれている。
【００４０】
ここで、移動局２００がセル＃１に在圏しており、ＭＢＳＦＮエリア内の全セル（セル＃１〜＃１９）で移動局２００の受信するＭＢＭＳデータが送信されているとする。この場合、移動局２００は、最大で１９個のセルの無線信号を合成し復調・復号して、ＭＢＭＳデータを抽出することができる。ただし、ＭＢＳＦＮエリア内の一部のセルが、移動局２００の受信するＭＢＭＳデータを送信しないようにすることも可能である。
【００４１】
図７は、個別データとＭＢＭＳデータの送信例を示す図である。移動局２００は、あるＣＣでＭＢＳＦＮ送信されたＭＢＭＳデータを受信し、他のＣＣで移動局２００宛ての個別データを受信することも可能である。図７の例は、基地局１００と移動局２００との無線通信に、ＣＣ＃１，＃２を使用する場合を示している。
【００４２】
例えば、基地局１００は、ＣＣ＃１で、物理チャネルであるＰＭＣＨ（Physical Multicast Channel）を送信する。ＰＭＣＨには、ＭＢＳＦＮ制御情報を伝送するための論理チャネルであるＭＣＣＨ（Multicast Control Channel）と、ＭＢＭＳデータを伝送するための論理チャネルであるＭＴＣＨ（Multicast Traffic Channel）がマッピングされる。また、基地局１００は、ＣＣ＃２で、個別制御情報を伝送するための物理チャネルであるＰＤＣＣＨ（Physical Downlink Control Channel）と、個別データを伝送するための物理チャネルであるＰＤＳＣＨ（Physical Downlink Shared Channel）を送信する。基地局１００ａは、ＣＣ＃１で、ＰＭＣＨを送信する。
【００４３】
このとき、移動局２００は、ＣＣ＃１で、基地局１００，１００ａが送信した無線信号を受信・合成して、ＭＢＭＳデータを抽出する。また、移動局２００は、ＣＣ＃２で、基地局１００が送信した無線信号を受信して、自局宛ての個別データを抽出する。なお、基地局１００，１００ａは、ＭＢＭＳデータと個別データを、同じタイミングで送信することも異なるタイミング送信することも可能である。移動局２００，２００ａは、同じタイミングで送信されたＭＢＭＳデータと個別データを、並列に受信する能力を有していてもよいし、有していなくてもよい。第２の実施の形態では、移動局２００が並列受信可能であり、移動局２００ａが並列受信不可である場合を想定する。
【００４４】
図８は、無線フレームの構造例を示す図である。ＣＣ＃１〜＃５それぞれにおいて、図８に示すような無線フレームが、基地局１００，１００ａと移動局２００，２００ａとの間で伝送される。ただし、図８に示した構造は一例であり、無線フレームの構造はこの例に限定されない。
【００４５】
例えば、時間幅が１０ｍｓの無線フレームに、時間幅が１ｍｓの１０個のサブフレーム（サブフレーム＃０〜＃９）が含まれている。サブフレームには、時間幅が０．５ｍｓの２個のスロットが含まれており、１０ｍｓの無線フレームに２０個のスロット（スロット＃０〜＃１９）が含まれていることになる。
【００４６】
無線フレーム内の無線リソースは、時間方向および周波数方向に細分化されて管理される。例えば、多重アクセス方式として、ＤＬにＯＦＤＭＡ（Orthogonal Frequency Division Multiple Access）が用いられ、ＵＬにＳＣ−ＦＤＭＡ（Single-Carrier Frequency Division Multiple Access）やＮｘＤＦＴ−ｓ−ＯＦＤＭ（N x Discrete Fourier Transform spread Orthogonal Frequency Division Multiple Access）が用いられる。時間方向について、スロットは、７個または６個のシンボルを含む。シンボルには、ＣＰと呼ばれるガードインターバルが挿入されている。周波数方向について、ＣＣは複数のサブキャリアを含む。時間×周波数の領域の無線リソースが、各種チャネルに割り当てられる。
【００４７】
ＤＬ無線フレームでは、スロット＃０，＃１０で、同期信号を伝送するための同期チャネル（ＳＣＨ：Synchronization Channel）が送信される。スロット＃１では、報知情報を伝送するための物理報知チャネルであるＰＢＣＨ（Physical Broadcast Channel）が送信される。スロット＃８，＃１８では、移動局２００，２００ａの呼び出しに用いられるトランスポートチャネルであるＰＣＨ（Paging Channel）が送信される。ＰＣＨは、物理チャネルであるＰＤＳＣＨにマッピングされて送信される。
【００４８】
なお、ＭＢＭＳデータを送信するサブフレーム（ＭＢＳＦＮサブフレーム）は、ＳＣＨ，ＰＢＣＨ，ＰＣＨの何れも送信されないサブフレーム＃１〜＃３，＃６〜＃８の中から選択される。ＭＢＳＦＮサブフレームは、後述するようにそれ以外のサブフレーム（通常サブフレーム）とＣＰ長が異なることから、個別データの送信に使用されない。よって、１つのサブフレーム内では、ＭＢＭＳデータと個別データとは多重化されない。
【００４９】
図９は、シンボルの構造例を示す図である。図９に示すように、シンボルは、データ部分である有効シンボルとガードインターバルであるＣＰとを含む。ＣＰは、有効シンボルの末尾部分の信号を複製したものであり、有効シンボルの前に付加される。
【００５０】
ＣＰには、通常ＣＰ（Normal CP）と拡張ＣＰ（Extended CP）という、長さの異なる２種類のＣＰがある。例えば、通常ＣＰの時間幅は４．６９μ秒であり、拡張ＣＰの時間幅は１６．６７μ秒である。有効シンボルの時間幅は、通常ＣＰを用いる場合と拡張ＣＰを用いる場合とで同じである。通常ＣＰを用いたスロットは７個のシンボルを含み、拡張ＣＰを用いたスロットは６個のシンボルを含む。
【００５１】
通常サブフレームには、原則として通常ＣＰが用いられる。よって、通常サブフレーム内のスロットは７個のシンボルを含む。一方、ＭＢＳＦＮサブフレームには、拡張ＣＰが用いられる。よって、ＭＢＳＦＮサブフレーム内のスロットは６個のシンボルを含む。移動局２００，２００ａは、遅延時間がＣＰ長以下である遅延波を、直接波や他の遅延波と合成して復調することができる。移動局２００，２００ａは、拡張ＣＰが用いられることで、通常ＣＰが用いられる場合よりも遅延時間の大きな無線信号（例えば、遠い基地局から送信された無線信号）を合成・復調してＭＢＭＳデータを抽出することが可能となる。
【００５２】
図１０は、ＭＢＭＳデータ信号の合成方法を示す図である。図１０の例では、移動局２００，２００ａは、５つの基地局から送信された無線信号が重畳された信号を、直接波と４つの遅延波とが重畳された信号として受信している。４つの遅延波のうち、３つの遅延波の遅延時間がＣＰ長以下であり、１つの遅延波の遅延時間がＣＰ長を超えている。このとき、移動局２００，２００ａは、直接波と３つの遅延波とを合成して復調する。
【００５３】
図１１は、通常サブフレームとＭＢＳＦＮサブフレームの設定例を示す図である。図１１の例では、ＣＣ＃１のサブフレーム＃１がＭＢＳＦＮサブフレームに設定され、ＣＣ＃１のサブフレーム＃０，＃２およびＣＣ＃２のサブフレーム＃０〜＃２が通常サブフレームに設定されている。なお、各サブフレームでは、参照信号（ＲＳ：Reference Signal）と呼ばれるパイロット信号が送信される。ＲＳは、移動局２００，２００ａにおける受信品質の測定に用いられる。通常サブフレームに含まれるＲＳとＭＢＳＦＮサブフレームに含まれるＲＳとは、異なる信号系列である。
【００５４】
前述の通り、通常サブフレームには７×２個のシンボルが含まれ、ＭＢＳＦＮサブフレームには６×２個のシンボルが含まれる。そのため、図１１に示すように、サブフレーム＃１の時間では、ＣＣ＃１とＣＣ＃２で各シンボルの開始位置がずれる。このとき、移動局２００，２００ａがＣＣ＃１，＃２のサブフレーム＃１を並列に受信することは、有効シンボルの抽出やＦＦＴなどの受信処理の負担が大きい。前述の通り、第２の実施の形態では、移動局２００は並列受信可能である一方、移動局２００ａは並列受信不可である場合を考える。基地局１００，１００ａは、移動局２００，２００ａの通信能力を考慮して、移動局２００，２００ａ宛ての個別データのスケジューリングを行う。
【００５５】
なお、図１１では説明を容易にするため、周波数方向について、各ＣＣについて１つのリソースブロック（ＲＢ：Resource Block）を記載している。各ＣＣは、周波数方向に複数のＲＢを含んでもよい。例えば、１．４ＭＨｚ幅のＣＣは６個、３ＭＨｚ幅のＣＣは１５個、５ＭＨｚ幅のＣＣは２５個、１０ＭＨｚ幅のＣＣは５０個、１５ＭＨｚ幅のＣＣは７５個、２０ＭＨｚ幅のＣＣは１００個のＲＢを含み得る。
【００５６】
図１２は、移動局の第１のカテゴリ例を示すテーブルである。移動局２００，２００ａを含む複数の移動局は、通信能力に応じてカテゴリ分けされている。例えば、移動局２００，２００ａは、基地局１００に接続する際に、基地局１００に自局のカテゴリを通知する。例えば、図１２に示すカテゴリテーブル１０１が、基地局１００に記憶されている。
【００５７】
カテゴリテーブル１０１は、カテゴリＩＤ、ＤＬ帯域幅、ＵＬ帯域幅および異ＣＰ受信可否の項目を含む。カテゴリＩＤは、カテゴリを識別するための識別情報である。ＤＬ帯域幅は、ＤＬ通信で使用可能な最大の周波数帯域幅である。ＵＬ帯域幅は、ＵＬ通信で使用可能な最大の周波数帯域幅である。異ＣＰ受信可否は、通常ＣＰのサブフレームと拡張ＣＰのサブフレームとを同時に受信可能であるか否かを示すフラグである。
【００５８】
例えば、カテゴリテーブル１０１の定義によれば、カテゴリ＝１０の移動局は、ＤＬ通信に６０ＭＨｚ以下の帯域を使用でき、ＵＬ通信に１５ＭＨｚ以下の帯域を使用でき、通常ＣＰと拡張ＣＰを並列処理できない。一方、カテゴリ＝１１の移動局は、カテゴリ＝１０の移動局と同じ帯域幅を使用できるが、通常ＣＰと拡張ＣＰを並列処理できる。なお、図１２では、ＤＬ帯域幅とＵＬ帯域幅をヘルツで表現したが、キャリアアグリゲーション可能なＣＣの数で表現してもよい。
【００５９】
図１３は、移動局の第２のカテゴリ例を示すテーブルである。移動局２００，２００ａを含む複数の移動局は、カテゴリテーブル１０１に代えて、図１３に示すカテゴリテーブル１０２に基づいてカテゴリ分けされてもよい。その場合、例えば、カテゴリテーブル１０２が、基地局１００に記憶される。カテゴリテーブル１０２は、カテゴリＩＤ、ＤＬ帯域幅および異ＣＰ受信可否の項目を含む。ＵＬ帯域幅は、ＤＬ帯域幅に比例するものとして定義されてもよいし、カテゴリ通知とは別に移動局２００，２００ａから基地局１００に通知されるようにしてもよい。これにより、移動局のカテゴリ分けを簡略化できる。
【００６０】
図１４は、第２の実施の形態の基地局を示すブロック図である。基地局１００は、アンテナ１１１、無線受信部１１２、復調復号部１１３、カテゴリ通知抽出部１１４、品質情報抽出部１１５、ＭＢＳＦＮ要求抽出部１１６、スケジューラ１２１、カテゴリ情報記憶部１２２、装置制御部１３０、個別制御情報生成部１４１、受信制御情報生成部１４２、ＭＢＳＦＮ制御情報生成部１４３、ＲＳ生成部１４４、マッピング部１４５、符号化変調部１４６および無線送信部１４７を有する。基地局１００ａを含む他の基地局も、基地局１００と同様のブロック構造によって実現できる。
【００６１】
アンテナ１１１は、移動局２００，２００ａが送信した無線信号を受信し、無線受信部１１２に出力する。また、無線送信部１４７から取得した送信信号を無線信号として出力する。なお、送受信兼用のアンテナではなく、送信用アンテナと受信用アンテナとを別個に基地局１００に設けてもよい。また、基地局１００は、複数のアンテナを用いてダイバーシチ送信を行ってもよい。
【００６２】
無線受信部１１２は、アンテナ１１１から取得した受信信号を無線信号処理し、高周波数の無線信号から低周波数のベースバンド信号への変換（ダウンコンバート）を行う。無線受信部１１２は、無線信号処理のため、例えば、低雑音増幅器（ＬＮＡ：Low Noise Amplifier）、直交復調器、ＡＤＣ（Analog to Digital Converter）などの回路を備える。
【００６３】
復調復号部１１３は、無線受信部１１２から取得したベースバンド信号を、復調および誤り訂正復号する。復調および復号は、所定の変調符号化方式（ＭＣＳ：Modulation and Coding Scheme）または装置制御部１３０から指示されるＭＣＳに対応する方法で行う。抽出された個別データであるユーザデータは、ＳＡＥゲートウェイ４３０に転送される。
【００６４】
カテゴリ通知抽出部１１４は、移動局２００，２００ａが送信したカテゴリ通知を抽出する。カテゴリ通知は、例えば、カテゴリＩＤを含む。カテゴリ通知は、ＵＬの物理チャネルであるＰＵＳＣＨ（Physical Uplink Shared Channel）で伝送される。カテゴリ通知抽出部１１４は、抽出したカテゴリ通知を、装置制御部１３０に出力する。
【００６５】
品質情報抽出部１１５は、移動局２００，２００ａが送信した制御情報である、受信品質の測定報告を示す品質情報を抽出する。品質情報としては、例えば、受信品質を離散値で表したＣＱＩ（Channel Quality Indicator）が用いられる。品質情報は、ＵＬの物理チャネルであるＰＵＣＣＨ（Physical Uplink Control Channel）で伝送される。品質情報抽出部１１５は、抽出した品質情報を、スケジューラ１２１に出力する。
【００６６】
ＭＢＳＦＮ要求抽出部１１６は、移動局２００，２００ａが送信した、ＭＢＳＦＮ送信の要求を示すＭＢＳＦＮ要求を抽出する。ＭＢＳＦＮ要求は、ＭＢＭＳサービスを選択する情報を含んでおり、ＰＵＳＣＨで伝送される。ＭＢＳＦＮ要求抽出部１１６は、抽出したＭＢＳＦＮ要求をスケジューラ１２１に出力する。また、スケジューラ１２１からの指示に応じて、ＭＢＳＦＮ要求をＭＣＥ３００に転送する。
【００６７】
スケジューラ１２１は、移動局２００，２００ａ宛ての個別データのスケジューリングを行う。スケジューリングでは、品質情報抽出部１１５から取得する品質情報が示す移動局２００，２００ａの受信品質、装置制御部１３０から通知される移動局２００，２００ａの通信能力、ＭＣＥ３００から受信されるＭＢＳＦＮ制御情報が示すＭＢＭＳデータの送信タイミングが参照される。スケジューリングには、無線リソースの割り当てやＭＣＳの選択が含まれる。スケジューラ１２１は、スケジューリング結果を、個別制御情報生成部１４１、受信制御情報生成部１４２および装置制御部１３０に通知する。また、スケジューラ１２１は、ＭＣＥ３００から受信されるＭＢＳＦＮ制御情報に基づいて、ＰＭＣＨ（ＰＣＣＨ）の送信をＭＢＳＦＮ制御情報生成部１４３に指示する。
【００６８】
カテゴリ情報記憶部１２２は、カテゴリＩＤと移動局の通信能力との対応関係を示すカテゴリ情報を予め記憶しておくメモリである。例えば、カテゴリ情報記憶部１２２は、図１２に示したカテゴリテーブル１０１を記憶する。
【００６９】
装置制御部１３０は、カテゴリ通知抽出部１１４から取得したカテゴリ通知とカテゴリ情報記憶部１２２に記憶されたカテゴリ情報とに基づいて、移動局２００，２００ａの通信能力を特定しスケジューラ１２１に通知する。また、装置制御部１３０は、スケジューラ１２１のスケジューリング結果に基づいて、無線受信部１１２、復調復号部１１３、符号化変調部１４６および無線送信部１４７の受信処理／送信処理を制御する。
【００７０】
個別制御情報生成部１４１は、スケジューラ１２１のスケジューリング結果に応じて、ＰＤＣＣＨで送信する個別制御情報を生成する。個別制御情報には、個別データの送信に用いる無線リソースを示す情報や個別データに適用されるＭＣＳを示す情報が含まれる。個別制御情報生成部１４１は、生成した個別制御情報をマッピング部１４５に出力する。
【００７１】
受信制御情報生成部１４２は、スケジューラ１２１からの指示に応じて、ＰＤＣＣＨで送信する受信制御情報を生成する。受信制御情報は、移動局２００，２００ａが個別データとＭＢＭＳデータの両方を受信しようとするとき、両方の受信が可能か否かを示す情報である。例えば、受信制御情報は、個別データとＭＢＭＳデータの両方が受信可能であることを示す場合と、ＭＢＭＳデータが受信不可であることを示す場合とが考えられる。受信制御情報生成部１４２は、生成した受信制御情報をマッピング部１４５に出力する。
【００７２】
ＭＢＳＦＮ制御情報生成部１４３は、スケジューラ１２１からの指示に応じて、ＰＭＣＨ（ＭＣＣＨ）で送信するＭＢＳＦＮ制御情報を生成する。ＭＢＳＦＮ制御情報には、移動局２００，２００ａが利用可能なＭＢＭＳサービス（ＭＢＭＳデータの種類）の一覧を示す情報が含まれる。また、ＭＢＭＳデータの送信に用いる無線リソースを示す情報やＭＢＭＳデータに適用するＭＣＳを示す情報が含まれる。ＭＢＳＦＮ制御情報生成部１４３は、生成したＭＢＳＦＮ制御情報をマッピング部１４５に出力する。
【００７３】
ＲＳ生成部１４４は、既知のパイロット信号であるＲＳを生成し、生成したＲＳをマッピング部１４５に出力する。
マッピング部１４５は、ＭＢＭＳゲートウェイ４２０から受信するＭＢＭＳデータと、ＳＡＥゲートウェイ４３０から受信する個別データとを、ＤＬ無線フレームにマッピングする。また、個別制御情報生成部１４１、受信制御情報生成部１４２およびＭＢＳＦＮ制御情報生成部１４３から取得する制御情報と、ＲＳ生成部１４４から取得するＲＳとを、ＤＬ無線フレームにマッピングする。マッピング部１４５は、マッピング後の送信信号を符号化変調部１４６に順次出力する。
【００７４】
符号化変調部１４６は、マッピング部１４５から取得した送信信号を誤り訂正符号化および変調し、無線送信部１４７に出力する。符号化および変調には、所定のＭＣＳまたは装置制御部１３０から指示されたＭＣＳを用いる。
【００７５】
無線送信部１４７は、符号化変調部１４６から取得した送信信号を無線信号処理し、低周波数のベースバンド信号から高周波数の無線信号へ変換（アップコンバート）を行う。無線送信部１４７は、無線信号処理のため、例えば、ＤＡＣ（Digital to Analog Converter）、直交変調器、電力増幅器などの回路を備える。
【００７６】
なお、個別制御情報生成部１４１、受信制御情報生成部１４２、ＭＢＳＦＮ制御情報生成部１４３、ＲＳ生成部１４４、マッピング部１４５、符号化変調部１４６および無線送信部１４７の集合は、第１の実施の形態の送信部１１の一例と見ることができる。スケジューラ１２１および装置制御部１３０の集合は、第１の実施の形態の制御部１２の一例と見ることができる。
【００７７】
図１５は、基地局の装置制御部を示すブロック図である。装置制御部１３０は、異ＣＰ受信制御部１３１、周波数制御部１３２、受信帯域幅設定部１３３、受信周波数設定部１３４、送信周波数設定部１３５および送信帯域幅設定部１３６を有する。なお、図１５では、ＭＣＳの制御については説明を省略している。
【００７８】
異ＣＰ受信制御部１３１は、カテゴリ通知抽出部１１４から取得したカテゴリ通知とカテゴリ情報記憶部１２２に記憶されたカテゴリ情報に基づいて、移動局２００，２００ａが異なる長さのＣＰを並列処理可能か判断し、スケジューラ１２１に通知する。また、異ＣＰ受信制御部１３１は、スケジューラ１２１のスケジューリング結果に基づいて、通常ＣＰと拡張ＣＰの同時伝送についての設定を、受信帯域幅設定部１３３、受信周波数設定部１３４、送信周波数設定部１３５および送信帯域幅設定部１３６に通知する。
【００７９】
周波数制御部１３２は、カテゴリ通知抽出部１１４から取得したカテゴリ通知とカテゴリ情報記憶部１２２に記憶されたカテゴリ情報に基づいて、移動局２００，２００ａが無線通信に使用できる帯域幅を判断し、スケジューラ１２１に通知する。また、周波数制御部１３２は、スケジューラ１２１のスケジューリング結果に基づいて、使用周波数についての設定を、受信帯域幅設定部１３３、受信周波数設定部１３４、送信周波数設定部１３５および送信帯域幅設定部１３６に通知する。
【００８０】
受信帯域幅設定部１３３は、異ＣＰ受信制御部１３１および周波数制御部１３２からの通知に基づいて、ＣＣ＃１〜＃５のＵＬの帯域幅の中で移動局２００，２００ａから無線信号を受信する帯域の幅を設定する。受信周波数設定部１３４は、異ＣＰ受信制御部１３１および周波数制御部１３２からの通知に基づいて、ＣＣ＃１〜＃５のうち移動局２００，２００ａから無線信号を受信するＣＣを設定する。
【００８１】
送信周波数設定部１３５は、異ＣＰ受信制御部１３１および周波数制御部１３２からの通知に基づいて、ＣＣ＃１〜＃５のうち移動局２００，２００ａへの無線信号を送信するＣＣを設定する。送信帯域幅設定部１３６は、異ＣＰ受信制御部１３１および周波数制御部１３２からの通知に基づいて、ＣＣ＃１〜＃５のＤＬの帯域幅の中で移動局２００，２００ａへの無線信号を送信する帯域の幅を設定する。
【００８２】
図１６は、第２の実施の形態の移動局を示すブロック図である。移動局２００は、アンテナ２１１、無線受信部２２０、復調復号部２３０、個別制御情報抽出部２４１、受信制御情報抽出部２４２、ＭＢＳＦＮ制御情報抽出部２４３、ＲＳ抽出部２４４、ＭＢＳＦＮ制御部２５１、品質測定部２５２、性能情報記憶部２５３、端末制御部２６０、カテゴリ通知生成部２７１、ＭＢＳＦＮ要求生成部２７２、品質情報生成部２７３、符号化変調部２７４および無線送信部２７５を有する。移動局２００ａも、移動局２００と同様のブロック構造によって実現できる。
【００８３】
アンテナ２１１は、基地局１００を含む１またはそれ以上の基地局が送信した無線信号を受信し、無線受信部２２０に出力する。また、アンテナ２１１は、無線送信部２７５から取得した送信信号を無線で出力する。なお、送受信兼用のアンテナではなく、送信用アンテナと受信用アンテナを別個に移動局２００に設けてもよい。また、移動局２００は、複数のアンテナを用いてダイバーシチ受信を行ってもよい。
【００８４】
無線受信部２２０は、アンテナ２１１から取得した受信信号を無線信号処理し、無線信号からベースバンド信号へのダウンコンバートを行う。無線受信部２２０は、無線信号処理のため、例えば、ＬＮＡ、直交復調器、ＡＤＣなどの回路を備える。
【００８５】
復調復号部２３０は、無線受信部２２０から取得したベースバンド信号を、復調および誤り訂正復号する。復調および復号は、所定のＭＣＳまたは端末制御部２６０から指示されるＭＣＳに対応する方法で行う。抽出された個別データやＭＢＭＳデータは、プロセッサなどの上位レイヤのデータ処理部（図示せず）に渡される。
【００８６】
ここで、ＭＢＳＦＮにより送信されたＭＢＭＳデータを受信する場合、受信信号には、複数の基地局から送信された同一内容の信号が重畳されている。移動局２００には、先行波と遅延波が重畳されているように見える。復調復号部２３０は、遅延時間がＣＰ長以下である遅延波の信号も抽出して直接波の信号に合成し、復調および復号を行う。
【００８７】
個別制御情報抽出部２４１は、ＰＤＣＣＨで送信された個別制御情報を抽出する。前述のように、個別制御情報には、個別データの送信に用いられる無線リソースを示す情報や個別データに適用されるＭＣＳを示す情報が含まれる。個別制御情報抽出部２４１は、抽出した個別制御情報を端末制御部２６０に出力する。
【００８８】
受信制御情報抽出部２４２は、ＰＤＣＣＨで送信された受信制御情報を抽出する。前述のように、受信制御情報は、移動局２００が個別データとＭＢＭＳデータの両方の受信が可能か否かを示している。受信制御情報抽出部２４２は、抽出した受信制御情報を、端末制御部２６０およびＭＢＳＦＮ制御部２５１に出力する。
【００８９】
ＭＢＳＦＮ制御情報抽出部２４３は、ＰＭＣＨ（ＭＣＣＨ）で送信されたＭＢＳＦＮ制御情報を抽出する。前述のように、ＭＢＳＦＮ制御情報には、利用可能なＭＢＭＳサービスの一覧を示す情報、ＭＢＭＳデータの送信に用いる無線リソースを示す情報、ＭＢＭＳデータに適用するＭＣＳを示す情報が含まれる。ＭＢＳＦＮ制御情報抽出部２４３は、抽出したＭＢＳＦＮ制御情報をＭＢＳＦＮ制御部２５１に出力する。
【００９０】
ＲＳ抽出部２４４は、ＤＬ無線フレームに含まれるＲＳを抽出し、抽出したＲＳを品質測定部２５２に出力する。
ＭＢＳＦＮ制御部２５１は、ユーザの操作などを契機としてＭＢＭＳデータの受信を開始しようとするとき、ＭＢＳＦＮ要求生成部２７２にＭＢＳＦＮ要求の送信を指示する。また、ＭＢＳＦＮ制御部２５１は、ＭＢＳＦＮ制御情報抽出部２４３から取得したＭＢＳＦＮ制御情報に基づいて、ＭＢＭＳデータが送信されるタイミングなどＭＢＭＳデータの受信に用いられる情報を、端末制御部２６０に通知する。ただし、ＭＢＳＦＮ制御部２５１は、受信制御情報抽出部２４２からＭＢＭＳデータの受信不可を示す受信制御情報を取得したときは、ＭＢＭＳデータを受信しないよう制御する。
【００９１】
品質測定部２５２は、ＲＳ抽出部２４４から取得したＲＳを用いて、ＣＩＲなどの受信品質（または、無線回線品質）を測定する。品質測定部２５２は、測定結果を品質情報生成部２７３に出力すると共に、ＲＳ抽出部２４４にフィードバックする。
【００９２】
性能情報記憶部２５３は、移動局２００の性能情報を予め記憶しておくメモリである。性能情報は、移動局２００が無線通信に使用できるＵＬおよびＤＬの帯域幅や、異なる長さのＣＰを並列処理可能か否かの能力を示している。性能情報記憶部２５３は、性能情報としてカテゴリＩＤを記憶していてもよい。
【００９３】
端末制御部２６０は、個別制御情報抽出部２４１から取得した個別制御情報に基づいて、移動局２００宛ての個別データの受信および基地局１００へのユーザデータの送信を制御する。また、端末制御部２６０は、受信制御情報抽出部２４２から取得した受信制御情報およびＭＢＳＦＮ制御部２５１からの通知に基づいて、ＭＢＭＳデータの受信を制御する。また、端末制御部２６０は、移動局２００が基地局１００に接続する際、カテゴリ通知を基地局１００に送信するようカテゴリ通知生成部２７１に指示する。
【００９４】
カテゴリ通知生成部２７１は、端末制御部２６０からの指示に応じて、性能情報記憶部２５３から性能情報を読み出し、カテゴリ通知を生成する。性能情報がカテゴリＩＤ以外の情報である場合、性能情報が示す通信能力から移動局２００のカテゴリを算出し、カテゴリＩＤを特定する。カテゴリ通知生成部２７１は、生成したカテゴリ通知を符号化変調部２７４に出力する。なお、上記説明では、移動局２００が基地局１００にカテゴリＩＤを通知することとしたが、カテゴリＩＤ以外の前述の性能情報を通知してもよい。
【００９５】
ＭＢＳＦＮ要求生成部２７２は、ＭＢＳＦＮ制御部２５１からの指示に応じて、ＭＢＳＦＮ送信の要求を示すＭＢＳＦＮ要求を生成する。ＭＢＳＦＮ要求には、基地局１００から通知される一覧の中から選択したＭＢＭＳサービスを示す情報が含まれる。ＭＢＳＦＮ要求生成部２７２は、生成したＭＢＳＦＮ要求を符号化変調部２７４に出力する。
【００９６】
品質情報生成部２７３は、品質測定部２５２で測定された受信品質または無線回線品質を示す品質情報を生成する。品質情報としては、例えば、ＣＱＩを用いることができる。品質情報生成部２７３は、生成した品質情報を符号化変調部２７４に出力する。
【００９７】
符号化変調部２７４は、ＰＵＳＣＨで送信するユーザデータ、カテゴリ通知生成部２７１から取得するカテゴリ通知、ＭＢＳＦＮ要求生成部２７２から取得するＭＢＳＦＮ要求、および、品質情報生成部２７３から取得する品質情報を、誤り訂正符号化および変調し、無線送信部２７５に出力する。符号化および変調には、所定のＭＣＳまたは端末制御部２６０から指示されたＭＣＳを用いる。
【００９８】
無線送信部２７５は、符号化変調部２７４から取得した送信信号を無線信号処理し、ベースバンド信号から無線信号へのアップコンバートを行う。無線送信部２７５は、無線信号処理のため、例えば、ＤＡＣ、直交変調器、電力増幅器などの回路を備える。
【００９９】
なお、無線受信部２２０、復調復号部２３０、個別制御情報抽出部２４１、受信制御情報抽出部２４２、ＭＢＳＦＮ制御情報抽出部２４３およびＲＳ抽出部２４４の集合は、第１の実施の形態の受信部２１の一例と見ることができる。カテゴリ通知生成部２７１、符号化変調部２７４および無線送信部２７５の集合は、通知部２２の一例と見ることができる。
【０１００】
図１７は、移動局の端末制御部を示すブロック図である。端末制御部２６０は、異ＣＰ受信制御部２６１、周波数制御部２６２、受信帯域幅設定部２６３、受信周波数設定部２６４、送信周波数設定部２６５および送信帯域幅設定部２６６を有する。なお、図１７では、ＭＣＳの制御については説明を省略している。
【０１０１】
異ＣＰ受信制御部２６１は、受信制御情報抽出部２４２から取得した受信制御情報と性能情報記憶部２５３に記憶された移動局２００の性能情報に基づいて、通常ＣＰと拡張ＣＰを同時受信するか否か判断する。異ＣＰ受信制御部２６１は、同時受信についての設定を、受信帯域幅設定部２６３、受信周波数設定部２６４、送信周波数設定部２６５および送信帯域幅設定部２６６に通知する。
【０１０２】
周波数制御部２６２は、個別制御情報抽出部２４１から取得した個別制御情報、ＭＢＳＦＮ制御部２５１からの通知、および、性能情報記憶部２５３に記憶された移動局２００の性能情報に基づいて、使用周波数についての設定を、受信帯域幅設定部２６３、受信周波数設定部２６４、送信周波数設定部２６５および送信帯域幅設定部２６６に通知する。
【０１０３】
受信帯域幅設定部２６３は、異ＣＰ受信制御部２６１および周波数制御部２６２からの通知に基づいて、ＣＣ＃１〜＃５のＤＬの帯域幅の中で無線信号を受信する帯域の幅を設定する。受信周波数設定部２６４は、異ＣＰ受信制御部２６１および周波数制御部２６２からの通知に基づいて、ＣＣ＃１〜＃５のうち無線信号を受信するＣＣを設定する。
【０１０４】
送信周波数設定部２６５は、異ＣＰ受信制御部２６１および周波数制御部２６２からの通知に基づいて、ＣＣ＃１〜＃５のうち基地局１００に無線信号を送信するＣＣを設定する。送信帯域幅設定部２６６は、異ＣＰ受信制御部２６１および周波数制御部２６２からの通知に基づいて、ＣＣ＃１〜＃５のＵＬの帯域幅の中で基地局１００に無線信号を送信する帯域の幅を設定する。
【０１０５】
図１８は、移動局の受信回路の第１の例を示すブロック図である。図１８の例は、移動局２００がスペクトラムアグリゲーションを行わない場合を示している。前述のように、復調復号部２３０は、通常ＣＰと拡張ＣＰを並列処理することができる。
【０１０６】
無線受信部２２０は、同一の周波数バンド（例えば、８００ＭＨｚ帯や３．５ＧＨｚ帯など）に属する１またはそれ以上のＣＣの無線信号を処理する。無線受信部２２０は、ＬＮＡ２２１、直交復調器２２２およびＡＤＣ２２３を有する。ＬＮＡ２２１は、アンテナ２１１で得られた受信信号を増幅する。直交復調器２２２は、受信信号を直交復調し、同相成分および直交成分を抽出する。ＡＤＣ２２３は、アナログベースバンド信号をデジタルベースバンド信号に変換し、復調復号部２３０に出力する。
【０１０７】
復調復号部２３０は、ＣＰ処理部２３１，２３１ａ、ＦＦＴ部２３２，２３２ａ、復調部２３３，２３３ａ、ＰＳ（Parallel Serial）変換部２３４，２３４ａおよび復号部２３５，２３５ａを有する。通常サブフレームとＭＢＳＦＮサブフレームを受信する場合、ＣＰ処理部２３１、ＦＦＴ部２３２、復調部２３３、ＰＳ変換部２３４および復号部２３５が通常サブフレームを処理し、ＣＰ処理部２３１ａ、ＦＦＴ部２３２ａ、復調部２３３ａ、ＰＳ変換部２３４ａおよび復号部２３５ａがＭＢＳＦＮサブフレームを処理する。
【０１０８】
ＣＰ処理部２３１は、無線受信部２２０から取得したデジタルベースバンド信号から、通常ＣＰを削除して有効シンボルを抽出する。ＣＰ処理部２３１ａは、デジタルベースバンド信号から、拡張ＣＰを削除して有効シンボルを抽出する。ＦＦＴ部２３２，２３２ａは、有効シンボルに対してＦＦＴを行い、時間軸の信号を周波数成分の信号に変換する。復調部２３３，２３３ａは、ＦＦＴ後の信号を周波数成分毎にデジタル復調する。ＰＳ変換部２３４，２３４ａは、周波数成分のパラレル信号をシリアル信号に戻す（デマッピング）。復号部２３５，２３５ａは、デマッピング後の信号を誤り訂正復号する。
【０１０９】
このように、無線受信部２２０は、同一の周波数バンドに属するＣＣであれば、通常サブフレームが送信されるＣＣとＭＢＳＦＮサブフレームが送信されるＣＣとを、一括して処理できる。一方、復調復号部２３０は、ＣＰ長が異なる通常サブフレームとＭＢＳＦＮサブフレームとを同時に処理するために、２つの受信系を備えている。
【０１１０】
図１９は、移動局の受信回路の第２の例を示すブロック図である。図１９の例は、移動局２００がスペクトラムアグリゲーションを行う場合を示している。その場合、移動局２００は、無線受信部２２０に代えて無線受信部２２０ａを有する。
【０１１１】
無線受信部２２０ａは、ＬＮＡ２２１，２２１ａ、直交復調器２２２，２２２ａおよびＡＤＣ２２３，２２３ａを有する。ＬＮＡ２２１、直交復調器２２２およびＡＤＣ２２３が１つの周波数バンド（例えば、３．５ＧＨｚ帯）に属するＣＣを処理し、ＬＮＡ２２１ａ、直交復調器２２２ａおよびＡＤＣ２２３ａが他の周波数バンド（例えば、８００ＭＨｚ帯）に属するＣＣを処理する。このように、無線受信部２２０ａおよび復調復号部２３０は、２つの受信系を備え、異なる周波数バンドに属する２つのＣＣで送信される通常サブフレームとＭＢＳＦＮサブフレームを、同時に処理することができる。
【０１１２】
図２０は、移動局の受信回路の第３の例を示すブロック図である。図２０の例は、通常ＣＰと拡張ＣＰを並列処理できない移動局２００ａに搭載する受信回路を示している。移動局２００ａは、例えば、無線受信部２２０と復調復号部２３０ａを有する。
【０１１３】
復調復号部２３０ａは、ＣＰ処理部２３１、ＦＦＴ部２３２、復調部２３３、ＰＳ変換部２３４および復号部２３５を有する。ＣＰ処理部２３１およびＦＦＴ部２３２には、サブフレーム時間（１ｍｓ）毎に、通常サブフレームとＭＢＳＦＮサブフレームの何れを受信するかが設定される。ＣＰ処理部２３１は、設定に応じて、通常ＣＰまたは拡張ＣＰを削除して有効シンボルを抽出する。ＦＦＴ部２３２は、設定に応じたタイミングで、ＦＦＴを実行して周波数成分の信号を得る。このように、復調復号部２３０ａは、ＣＰ長が異なる通常サブフレームとＭＢＳＦＮサブフレームとを同時に処理する能力を有さない。
【０１１４】
図２１は、第２の実施の形態のＭＣＥを示すブロック図である。ＭＣＥ３００は、ＭＢＳＦＮ要求取得部３１１、スケジューラ３１２およびＭＢＳＦＮ制御部３１３を有する。
ＭＢＳＦＮ要求取得部３１１は、基地局１００，１００ａから、移動局２００，２００ａが送信したＭＢＳＦＮ要求を受信する。ＭＢＳＦＮ要求取得部３１１は、受信したＭＢＳＦＮ要求を、ＭＢＳＦＮ制御部３１３に出力する。
【０１１５】
スケジューラ３１２は、ＭＢＳＦＮ制御部３１３からの指示に応じて、ＭＢＳＦＮで送信するＭＢＭＳデータのスケジューリングを行う。スケジューリングには、ＭＢＭＳデータを送信するタイミングの決定（ＭＢＭＳデータを送信するスロットやサブフレームの選択を含む）や、ＭＢＭＳデータに適用するＭＣＳの選択が含まれる。スケジューリングの際には、ＭＢＳＦＮ制御部３１３から指示された種類のＭＢＭＳデータがＭＢＳＦＮエリア内で既に送信されているか否か判断される。既に送信されている場合、当該ＭＢＭＳデータを送信するための新たな無線リソースを割り当てなくてもよい場合がある。
【０１１６】
ＭＢＳＦＮ制御部３１３は、提供可能なＭＢＭＳサービスの一覧を示すＭＢＳＦＮ制御情報を、基地局１００，１００ａに送信する。また、ＭＢＳＦＮ制御部３１３は、ＭＢＳＦＮ要求取得部３１１からＭＢＳＦＮ要求を取得すると、要求されたＭＢＭＳサービスのＭＢＭＳデータのスケジューリングを、スケジューラ３１２に指示する。そして、スケジューリング結果（ＭＢＭＳデータの送信タイミングやＭＣＳなど）を示すＭＢＳＦＮ制御情報を、基地局１００，１００ａおよびＭＢＭＳゲートウェイ４２０に送信する。
【０１１７】
図２２は、基地局の送信処理を示すフローチャートである。以下、図２２に示す処理をステップ番号に沿って説明する。
（ステップＳ１１）無線受信部１１２は、移動局２００，２００ａが基地局１００に接続する際、移動局２００，２００ａからカテゴリ通知（例えば、カテゴリＩＤ）を受信する。カテゴリ通知抽出部１１４は、カテゴリ通知を抽出する。装置制御部１３０は、カテゴリ通知に基づいて、移動局２００，２００ａの通信能力を特定する。
【０１１８】
（ステップＳ１２）ＭＢＳＦＮ制御情報生成部１４３は、ＭＣＥ３００から受信された情報に基づいて、ＭＢＭＳサービスの一覧であるＭＢＳＦＮサービス情報を生成する。無線送信部１４７は、ＭＢＳＦＮサービス情報をＰＭＣＨ（ＭＣＣＨ）で送信する。
【０１１９】
（ステップＳ１３）無線受信部１１２は、ＭＢＳＦＮ要求をＰＵＳＣＨで受信する。ＭＢＳＦＮ要求抽出部１１６は、ＭＢＳＦＮ要求を抽出する。
（ステップＳ１４）スケジューラ１２１は、ステップＳ１１で特定された通信能力に基づいて、ＭＢＳＦＮ要求の送信元の移動局が、通常ＣＰと拡張ＣＰを同時受信可能であるか否か判断する。同時受信可能（移動局２００）の場合、処理がステップＳ１５に進められる。同時受信不可（移動局２００ａ）の場合、処理がステップＳ１８に進められる。
【０１２０】
（ステップＳ１５）ＭＢＳＦＮ要求抽出部１１６は、ステップＳ１３で抽出されたＭＢＳＦＮ要求を、ＭＣＥ３００に転送する。
（ステップＳ１６）受信制御情報生成部１４２は、移動局２００宛ての個別データとＭＢＭＳデータの両方を受信可能であることを示す受信制御情報を生成する。無線送信部１４７は、生成された受信制御情報をＰＤＣＣＨで移動局２００に送信する。
【０１２１】
（ステップＳ１７）スケジューラ１２１は、移動局２００宛ての個別データのスケジューリングを行う。このとき、ＭＢＳＦＮサブフレームの位置は、ＭＣＥ３００により決定されている。スケジューラ１２１は、ＭＢＳＦＮサブフレームが送信されるＣＣと異なるＣＣにおける、ＭＢＳＦＮサブフレームと同じタイミングのサブフレームも、移動局２００宛ての個別データの送信に用いてよい。
【０１２２】
（ステップＳ１８）スケジューラ１２１は、移動局２００ａ宛ての個別データの送信に使用可能な無線リソースを特定する。無線リソースの特定では、移動局２００ａが同時受信できるＣＣ数や無線リソースの空き状況が考慮される。また、スケジューラ１２１は、移動局２００ａの受信品質から、各ＣＣのサブフレーム当たりの伝送レートの上限を算出する。そして、スケジューラ１２１は、使用可能な無線リソースとサブフレーム当たりの伝送レートから、個別データの達成可能な伝送レート（可能伝送レート）を算出する。
【０１２３】
ここで、移動局２００ａが使用可能な無線リソースには、ＭＢＳＦＮサブフレームが送信されるＣＣと異なるＣＣにおける、ＭＢＳＦＮサブフレームと同じタイミングのサブフレームは除外される。例えば、移動局２００ａがＣＣ＃１，＃２を使用し、ＣＣ＃１でＭＢＳＦＮサブフレームが送信される場合、ＭＢＳＦＮサブフレームと同じタイミングのＣＣ＃２のサブフレームは、使用可能な無線リソースから除外される。
【０１２４】
（ステップＳ１９）スケジューラ１２１は、移動局２００ａ宛ての個別データが満たすべき伝送レート（所要レート）とステップＳ１８で算出した可能伝送レートを比較する。可能伝送レートが所要レート以上である場合、処理をステップＳ２０に進める。可能伝送レートが所要レート未満である場合、処理をステップＳ２３に進める。
【０１２５】
（ステップＳ２０）ＭＢＳＦＮ要求抽出部１１６は、ステップＳ１３で抽出されたＭＢＳＦＮ要求を、ＭＣＥ３００に転送する。
（ステップＳ２１）受信制御情報生成部１４２は、移動局２００ａ宛ての個別データとＭＢＭＳデータの両方を受信可能であることを示す受信制御情報を生成する。無線送信部１４７は、生成された受信制御情報をＰＤＣＣＨで移動局２００ａに送信する。
【０１２６】
（ステップＳ２２）スケジューラ１２１は、移動局２００ａ宛ての個別データのスケジューリングを行う。このとき、スケジューラ１２１は、ＭＢＳＦＮサブフレームが送信されるＣＣと異なるＣＣにおける、ＭＢＳＦＮサブフレームと同じタイミングのサブフレームを、移動局２００ａ宛ての個別データの送信に使用しないよう制御する。
【０１２７】
（ステップＳ２３）受信制御情報生成部１４２は、ＭＢＳＦＮのＭＢＭＳデータが受信不可であることを示す受信制御情報を生成する。無線送信部１４７は、生成された受信制御情報をＰＤＣＣＨで移動局２００ａに送信する。なお、ステップＳ１３で受信されたＭＢＳＦＮ要求は破棄される。
【０１２８】
（ステップＳ２４）スケジューラ１２１は、移動局２００ａ宛ての個別データのスケジューリングを行う。このとき、スケジューラ１２１は、ＭＢＳＦＮサブフレームが送信されるＣＣと異なるＣＣにおける、ＭＢＳＦＮサブフレームと同じタイミングのサブフレームを、移動局２００ａ宛ての個別データの送信に用いてよい。
【０１２９】
このように、基地局１００は、ＭＢＳＦＮの要求元の移動局が通常ＣＰと拡張ＣＰを並列処理できる場合、ＭＢＭＳデータの送信に伴う制限を受けずに、個別データのスケジューリングを行う。一方、要求元の移動局が通常ＣＰと拡張ＣＰを並列処理できない場合、ＭＢＭＳデータと個別データを異なるタイミングで送信可能か判断する。異なるタイミングで送信できない場合、個別データを優先して受信する（ＭＢＭＳデータを受信しない）よう、要求元の移動局に指示する。
【０１３０】
なお、第２の実施の形態では、基地局１００は、要求元の移動局がＭＢＭＳデータと個別データの両方を同時に受信できない場合、個別データを優先するよう当該移動局に指示することとした。ただし、ＭＢＭＳデータを優先するよう当該移動局に指示することも可能である。また、第２の実施の形態では、基地局１００は、要求元の移動局がＭＢＭＳデータと個別データの両方を受信できるか否かに拘わらず、受信制御情報を送信することとした。ただし、両方を同時に受信できない場合のみ、受信制御情報を送信してもよい。
【０１３１】
また、図２２の例では、要求元の移動局が通常ＣＰと拡張ＣＰを並列処理できるか否か判断し、並列処理不可の場合に個別データが所要レートを満たすか判断した。ただし、最初に個別データが所要レートを満たすか判断し、満たさない場合に要求元の移動局が通常ＣＰと拡張ＣＰを並列処理できるか判断してもよい。
【０１３２】
図２３は、移動局の受信処理を示すフローチャートである。以下、図２３に示す処理をステップ番号に沿って説明する。
（ステップＳ３１）カテゴリ通知生成部２７１は、自局のカテゴリを示すカテゴリ通知（例えば、カテゴリＩＤ）を生成する。無線送信部２７５は、生成されたカテゴリ通知をＰＵＳＣＨで送信する。
【０１３３】
（ステップＳ３２）無線受信部２２０は、基地局１００からＭＢＳＦＮサービス情報をＰＭＣＨ（ＭＣＣＨ）で受信する。ＭＢＳＦＮ制御情報抽出部２４３は、ＭＢＳＦＮサービス情報を抽出する。
【０１３４】
（ステップＳ３３）ＭＢＳＦＮ制御部２５１は、ステップＳ３２で受信したＭＢＳＦＮサービス情報とユーザの操作に基づいて、ＭＢＭＳサービスを選択する。ＭＢＳＦＮ要求生成部２７２は、選択されたＭＢＭＳサービスを示すＭＢＳＦＮ要求を生成する。無線送信部２７５は、生成されたＭＢＳＦＮ要求をＰＵＳＣＨで基地局１００に送信する。
【０１３５】
（ステップＳ３４）無線受信部２２０は、基地局１００から受信制御情報をＰＤＣＣＨで受信する。受信制御情報抽出部２４２は、受信制御情報を抽出する。端末制御部２６０は、受信制御情報から、ＭＢＭＳデータと個別データの両方が受信可能であるか否か判断する。両方を受信可能である場合、処理がステップＳ３５に進められる。ＭＢＭＳデータが受信不可である場合、処理をステップＳ３８に進める。
【０１３６】
（ステップＳ３５）端末制御部２６０は、性能情報記憶部２５３に記憶された性能情報に基づいて、通常ＣＰと拡張ＣＰを同時受信可能か否か判断する。同時受信可能の場合、処理をステップＳ３６に進める。同時受信不可の場合、処理をステップＳ３７に進める。
【０１３７】
（ステップＳ３６）端末制御部２６０は、復調復号部２３０の２つの受信系を用いて、ＭＢＭＳデータと個別データを同時受信できるよう設定を行う。
（ステップＳ３７）端末制御部２６０は、ＭＢＭＳデータと個別データを時分割で受信できるよう設定を行う。
【０１３８】
（ステップＳ３８）端末制御部２６０は、ＭＢＳＦＮ送信されたＭＢＭＳデータを受信せず、基地局１００が送信する個別データを受信するよう設定を行う。
図２４は、データ送信制御の例を示す第１のシーケンス図である。第１のシーケンス例は、移動局２００がＭＢＭＳデータと個別データを同時受信する場合を示す。
【０１３９】
移動局２００は、異なる長さのＣＰを並列処理可能であることを示すカテゴリ通知を、基地局１００に送信する（ステップＳ１１１）。基地局１００は、パイロット信号であるＲＳを含むＤＬ無線フレームを送信する（ステップＳ１１２）。移動局２００は、基地局１００が送信したＲＳを用いて受信品質を測定し、ＣＱＩなどの品質情報を基地局１００に送信する（ステップＳ１１３）。基地局１００は、移動局２００宛ての個別データのスケジューリングを行い、移動局２００に、ＰＤＣＣＨで個別制御情報を送信し、ＰＤＳＣＨで個別データを送信する（ステップＳ１１４，Ｓ１１５）。
【０１４０】
ＭＣＥ３００は、ＭＢＭＳサービスの一覧であるＭＢＳＦＮサービス情報を基地局１００に送信する（ステップＳ１１６）。基地局１００は、ＭＢＳＦＮサービス情報を、ＰＭＣＨにマッピングされるＭＣＣＨで送信する（ステップＳ１１７）。移動局２００は、利用するＭＢＭＳサービスを選択し、ＭＢＳＦＮ要求を基地局１００に送信する（ステップＳ１１８）。基地局１００は、移動局２００のカテゴリから、移動局２００がＭＢＭＳデータと個別データを同時受信可能であると判定する（ステップＳ１１９）。
【０１４１】
基地局１００は、ＭＢＳＦＮ要求をＭＣＥ３００に転送する（ステップＳ１２０）。ＭＣＥ３００は、ＭＢＭＳデータの送信タイミングなどを示すＭＢＳＦＮ制御情報を、基地局１００に送信する（ステップＳ１２１）。基地局１００は、ＭＢＭＳデータと個別データの両方を受信可能であることを示す受信制御情報を、移動局２００に送信する（ステップＳ１２２）。基地局１００は、ＭＢＳＦＮ制御情報を、ＰＭＣＨにマッピングされるＭＣＣＨで送信する（ステップＳ１２３）。
【０１４２】
基地局１００は、ＭＢＭＳゲートウェイ４２０から受信したＭＢＭＳデータを、ＰＭＣＨにマッピングされるＭＴＣＨで送信する（ステップＳ１２４）。また、ＭＢＭＳデータと同じタイミングに、移動局２００に、個別制御情報をＰＤＣＣＨで送信し、ＳＡＥゲートウェイ４３０から受信した個別データをＰＤＳＣＨで送信する（ステップＳ１２５，Ｓ１２６）。移動局２００は、ＭＢＳＦＮ制御情報を参照してＭＢＭＳデータを抽出する。また、ＭＢＭＳデータと並列に、個別制御情報を参照して個別データを抽出する。
【０１４３】
図２５は、データ送信制御の例を示す第２のシーケンス図である。第２のシーケンス例は、移動局２００ａがＭＢＭＳデータと個別データを時分割で受信する場合を示す。
移動局２００ａは、異なる長さのＣＰを並列処理不可であることを示すカテゴリ通知を基地局１００に送信する（ステップＳ１３１）。ステップＳ１３２〜Ｓ１３８の処理は、前述のステップＳ１１２〜Ｓ１１８と同様である。基地局１００は、移動局２００ａのカテゴリから、移動局２００ａがＭＢＭＳデータと個別データを同時受信不可であると判定する。また、個別データの可能伝送レートを算出し、ここでは、個別データをＭＢＭＳデータと同時に送信せずに所要レートを満たすと判定する（ステップＳ１３９）。
【０１４４】
ステップＳ１４０〜Ｓ１４３の処理は、前述のステップＳ１２０〜Ｓ１２３と同様である。基地局１００は、ＭＢＭＳゲートウェイ４２０から受信したＭＢＭＳデータを、ＰＭＣＨにマッピングされるＭＴＣＨで送信する（ステップＳ１４４）。また、ＭＢＭＳデータと異なるタイミングに、移動局２００ａに、個別制御情報をＰＤＣＣＨで送信し、ＳＡＥゲートウェイ４３０から受信した個別データをＰＤＳＣＨで送信する（ステップＳ１４５，Ｓ１４６）。移動局２００ａは、互いに異なるタイミングで、ＭＢＳＦＮ制御情報を参照してＭＢＭＳデータを抽出し、個別制御情報を参照して個別データを抽出する。
【０１４５】
図２６は、データ送信制御の例を示す第３のシーケンス図である。第３のシーケンス例は、移動局２００ａがＭＢＭＳデータを受信しない場合を示す。
移動局２００ａは、異なる長さのＣＰを並列処理不可であることを示すカテゴリ通知を基地局１００に送信する（ステップＳ１５１）。ステップＳ１５２〜Ｓ１５８の処理は、前述のステップＳ１１２〜Ｓ１１８と同様である。基地局１００は、移動局２００ａのカテゴリから、移動局２００ａがＭＢＭＳデータと個別データを同時受信不可であると判定する。また、個別データの可能伝送レートを算出し、ここでは、個別データをＭＢＭＳデータと同時に送信せずには所要レートを満たせないと判定する（ステップＳ１５９）。
【０１４６】
基地局１００は、ＭＢＳＦＮのＭＢＭＳデータが受信不可であることを示す受信制御情報を、移動局２００ａに送信する（ステップＳ１６０）。基地局１００は、ＭＢＭＳデータと同じタイミングに、移動局２００ａに、個別制御情報をＰＤＣＣＨで送信し、ＳＡＥゲートウェイ４３０から受信した個別データをＰＤＳＣＨで送信する（ステップＳ１６１，Ｓ１６２）。移動局２００ａは、ＭＢＭＳデータを受信せずに個別データを受信する。
【０１４７】
なお、移動局２００ａは、ＭＢＭＳデータが受信不可であると通知された場合、所要レートが設定された個別データの伝送が終了した後や当該所要レートが低下した後に、ＭＢＭＳデータの受信を開始してもよい。基地局１００は、ＭＢＭＳデータの受信が可能になった旨を、移動局２００ａに通知するようにしてもよい。また、図２４〜２６では、移動局２００，２００ａが個別データの受信中にＭＢＳＦＮ要求を行う例を示した。ただし、移動局２００，２００ａがＭＢＭＳデータの受信中に、所要レートの設定された個別データの受信を開始する場合も、基地局１００は同様の制御を行うことができる。また、基地局１００は、受信制御情報として、ＭＢＭＳデータと個別データのうち個別データのみ受信可能であることを示す情報を、移動局２００ａに送信してもよい。
【０１４８】
また、図２４〜２６では、基地局１００は、移動局２００，２００ａからの要求を受けて受信制御情報を移動局２００，２００ａに送信したが、移動局２００，２００ａからの要求を受ける前に、予め受信制御情報を移動局２００，２００ａに通知してもよい。
【０１４９】
図２７は、データ送信制御の例を示す第４のシーケンス図である。第４のシーケンス例は、図２６と同様、移動局２００ａがＭＢＭＳデータを受信しない場合を示す。
移動局２００ａは、異なる長さのＣＰを並列処理不可であることを示すカテゴリ通知を基地局１００に送信する（ステップＳ１７１）。ステップＳ１７２〜Ｓ１７７の処理は、前述のステップＳ１１２〜Ｓ１１７と同様である。基地局１００は、移動局２００ａが所要レートの設定された個別データを受信中の場合、ＭＢＳＦＮ要求の有無に拘わらず、個別データとＭＢＭＳデータの両方を受信可能か判定する（ステップＳ１７８）。
【０１５０】
基地局１００は、移動局２００ａが個別データとＭＢＭＳデータの両方を同時に受信できない場合、ＭＢＭＳデータが受信不可であることを示す受信制御情報を、事前に移動局２００ａに送信する（ステップＳ１７９）。移動局２００ａは、受信制御情報を受けて、所要レートが設定された個別データの受信が終了するか所要レートが低下するまで、ＭＢＳＦＮ要求の送信を禁止する。基地局１００は、移動局２００ａに、個別制御情報をＰＤＣＣＨで送信し、ＳＡＥゲートウェイ４３０から受信した個別データをＰＤＳＣＨで送信する（ステップＳ１８０，Ｓ１８１）。
【０１５１】
このような第２の実施の形態の移動通信システムによれば、異なる長さのＣＰを並列処理できる移動局２００宛ての個別データについては、ＭＢＭＳデータと同じタイミングでの送信を許容することで、複数のＣＣの無線リソースを有効活用できる。一方、異なる長さのＣＰを並列処理できない移動局２００ａ宛ての個別データについては、ＭＢＭＳデータと異なるタイミングで送信するようスケジューリングを試みることで、データ送信が無駄になってしまうことを抑制できる。また、個別データをＭＢＭＳデータと異なるタイミングで送信できない場合には、個別データを優先して受信しＭＢＭＳデータを受信しないよう移動局２００ａに指示することで、移動局２００ａの受信処理の負担が軽減される。
【０１５２】
［第３の実施の形態］
次に、第３の実施の形態を説明する。前述の第２の実施の形態との差異を主に説明し、同様の事項については説明を省略する。第３の実施の形態の移動通信システムは、ＭＢＭＳデータが受信不可であることを移動局に通知する方法が、第２の実施の形態と異なる。
【０１５３】
第３の実施の形態の移動通信システムは、図２に示した第２の実施の形態と同様のシステム構成によって実現できる。また、第３の実施の形態の移動局は、第２の実施の形態の移動局２００，２００ａと同様のブロック構造によって実現できる。
【０１５４】
図２８は、第３の実施の形態の基地局を示すブロック図である。基地局１００ｂは、アンテナ１１１、無線受信部１１２、復調復号部１１３、カテゴリ通知抽出部１１４、品質情報抽出部１１５、ＭＢＳＦＮ要求抽出部１１６、スケジューラ１２１ｂ、カテゴリ情報記憶部１２２、装置制御部１３０、個別制御情報生成部１４１、受信制御情報生成部１４２ｂ、ＭＢＳＦＮ制御情報生成部１４３、ＲＳ生成部１４４、マッピング部１４５、符号化変調部１４６および無線送信部１４７を有する。
【０１５５】
スケジューラ１２１ｂは、ＭＢＳＦＮ要求抽出部１１６でＭＢＳＦＮ要求が抽出されると、要求元の移動局のカテゴリなどに基づいて、要求元の移動局が個別データに加えてＭＢＭＳデータを受信可能か判断する。ＭＢＭＳデータを受信できないと判断した場合、スケジューラ１２１ｂは、拒否されるべきＭＢＳＦＮ要求を受け付けたことを示すＭＢＳＦＮ拒否通知を、後述するＭＣＥ３００ａに送信するよう、受信制御情報生成部１４２ｂに指示する。受信制御情報生成部１４２ｂは、スケジューラ１２１ｂからの指示に応じて、ＭＢＳＦＮ拒否通知を生成しＭＣＥ３００ａに送信する。
【０１５６】
図２９は、第３の実施の形態のＭＣＥを示すブロック図である。ＭＣＥ３００ａは、ＭＢＳＦＮ要求取得部３１１、スケジューラ３１２、ＭＢＳＦＮ制御部３１３ａおよびＭＢＳＦＮ拒否通知取得部３１４を有する。
【０１５７】
ＭＢＳＦＮ拒否通知取得部３１４は、基地局１００ｂから、ＭＢＳＦＮ拒否通知を受信し、ＭＢＳＦＮ制御部３１３ａに出力する。ＭＢＳＦＮ制御部３１３ａは、ＭＢＳＦＮ拒否通知取得部３１４からＭＢＳＦＮ拒否通知を取得すると、移動局２００，２００ａから要求されたＭＢＭＳサービスが利用不可であることを示す受信制御情報を、基地局１００ｂ経由で移動局２００，２００ａに送信する。
【０１５８】
図３０は、データ送信制御の例を示す第５のシーケンス図である。第５のシーケンス例は、移動局２００ａがＭＢＭＳデータを受信しない場合を示す。
移動局２００ａは、異なる長さのＣＰを並列処理不可であることを示すカテゴリ通知を基地局１００ｂに送信する（ステップＳ２１１）。ステップＳ２１２〜Ｓ２１８は、第２の実施の形態で説明したステップＳ１１２〜Ｓ１１８と同様である。基地局１００ｂは、移動局２００ａのカテゴリから、ＭＢＭＳデータと個別データを同時受信不可であると判定する。また、個別データの可能伝送レートを算出し、ここでは、個別データをＭＢＭＳデータと同時に送信せずには所要レートを満たせないと判定する（ステップＳ２１９）。
【０１５９】
基地局１００ｂは、要求されたＭＢＭＳサービスを示す情報を含むＭＢＳＦＮ拒否通知を、ＭＣＥ３００ａに送信する（ステップＳ２２０）。ＭＣＥ３００ａは、ＭＢＳＦＮ要求を拒否する旨の受信制御情報を、基地局１００ｂに送信する（ステップＳ２２１）。基地局１００ｂは、ＭＣＥ３００ａから受信した受信制御情報を、移動局２００ａに転送する（ステップＳ２２２）。基地局１００ｂは、ＭＢＭＳデータと同じタイミングに、移動局２００ａに、個別制御情報をＰＤＣＣＨで送信し、ＳＡＥゲートウェイ４３０から受信した個別データをＰＤＳＣＨで送信する（ステップＳ２２３，Ｓ２２４）。移動局２００ａは、ＭＢＭＳデータを受信せずに個別データを受信する。
【０１６０】
このような第３の実施の形態の移動通信システムによれば、第２の実施の形態と同様の効果が得られる。また、ＭＣＥ３００ａが、移動局２００，２００ａによるＭＢＳＦＮ要求の送信状況およびその許否を一元的に管理することができる。
【０１６１】
上記については単に本発明の原理を示すものである。更に、多数の変形や変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０１６２】
１０，２０，２０ａ  無線通信装置
１１  送信部
１２  制御部
２１  受信部
２２  通知部
【図１】
2012042627.tif 000003
【図２】
2012042627.tif 000004
【図３】
2012042627.tif 000005
【図４】
2012042627.tif 000006
【図５】
2012042627.tif 000007
【図６】
2012042627.tif 000008
【図７】
2012042627.tif 000009
【図８】
2012042627.tif 000010
【図９】
2012042627.tif 000011
【図１０】
2012042627.tif 000012
【図１１】
2012042627.tif 000013
【図１２】
2012042627.tif 000014
【図１３】
2012042627.tif 000015
【図１４】
2012042627.tif 000016
【図１５】
2012042627.tif 000017
【図１６】
2012042627.tif 000018
【図１７】
2012042627.tif 000019
【図１８】
2012042627.tif 000020
【図１９】
2012042627.tif 000021
【図２０】
2012042627.tif 000022
【図２１】
2012042627.tif 000023
【図２２】
2012042627.tif 000024
【図２３】
2012042627.tif 000025
【図２４】
2012042627.tif 000026
【図２５】
2012042627.tif 000027
【図２６】
2012042627.tif 000028
【図２７】
2012042627.tif 000029
【図２８】
2012042627.tif 000030
【図２９】
2012042627.tif 000031
【図３０】
2012042627.tif 000032
【国際調査報告】
2012042627.tif 000033
2012042627.tif 000034